(57)【特許請求の範囲】
【請求項１】
プリンタ本体内に装着されたインクジェット印字ヘッドの下方側に、連続紙であるレシート用紙を用紙搬送方向に搬送可能な用紙搬送装置と，非連続紙である伝票を用紙搬送方向と反対の伝票正搬送方向に正搬送可能かつ印字後の伝票を用紙搬送方向と同じ伝票逆搬送方向に逆搬送可能であるとともに用紙搬送装置の上方側に配設された伝票搬送装置とを設け、
プリンタ本体の用紙搬送方向の上流側にレシート用紙を巻癖湾曲形状のままその先端を用紙搬送装置側へ引出可能状態でロール用紙を収容可能なロール用紙収容部を設けかつその下流側に伝票を伝票正搬送方向に挿入可能な伝票挿入部を設け、
ロール用紙収容部を、用紙搬送装置に対する当該ロール用紙収容部の上下方向位置関係がロール用紙収容部に収容されたロール用紙から巻癖湾曲形状のまま引出されたレシート用紙の先端を上方から下方に向けて用紙搬送装置に挿入可能な位置に配設するとともに、ロール用紙収容部の開口部を覆う上蓋を伝票正搬送方向に立上る形状に形成しかつこの上蓋をインクジェット印字ヘッドを伝票正搬送方向に通過した印字後伝票の一時保留部として利用可能に形成したレジ用インクジェットプリンタ。
【請求項２】
前記上蓋の形状が、前記ロール用紙収容部の前記伝票正搬送方向中心の手前部位が当該中心まで立上りかつその中心を過ぎた部位が奥行側へ立下がる上方に凸の円弧形状とされている請求項１記載のレジ用インクジェットプリンタ。
【発明の詳細な説明】
【０００１】
【発明の属する技術分野】
本発明は、一方側のロール紙から供給されたレシート用紙および他方側から挿入された伝票にインクジェット印字ヘッドを用いて当該各情報をインクジェット印字ヘッドを用いて印字可能かつレシートおよび印字後伝票を同一方向に排出可能に形成されたレジ用インクジェットプリンタに関する。
【０００２】
【従来の技術】
独立的に使用しあるいはＰＯＳシステムのターミナルとして使用される例えば電子キャッシュレジスタ型の商品販売データ処理装置（この明細書では、以下、単に“レジ”と略称する。）では、顧客買上商品について商品登録し、１取引終了宣言の締め操作を条件として会計処理を行う。登録商品情報および会計処理情報等を含むレシート印字情報は編集されかつレジ用プリンタを駆動制御してレシート用紙に印字される。そして、カットされたレシートを発行し当該顧客に手渡される。
【０００３】
従来、レジ用プリンタは、サーマルプリンタを採用すると消耗品であるレシート用紙（感熱用紙）が高価であることから、ニードルを用いたドットインパクト方式の印字ヘッドを採用したプリンタが多用されている。
【０００４】
また、レジでは、支払い方法の多様化等から、各種伝票に当該各種伝票情報を印字する場合が増大している。伝票には店内事務処理等のためのものも含まれる。また、伝票情報には、レシート印字情報の全部または一部、さらには当該各伝票に固有的な情報が含まれる。
【０００５】
しかし、レシートと伝票とでは、平面的形態や印字態様が異なるので、レシート用プリンタと伝票用プリンタとを別個に設けているが、当然にコスト高および装置全体の大型化を招く。
【０００６】
そこで、レシート用紙と伝票とを１台のレジ用プリンタで印字可能に構築したものが提案・利用されている。つまり、レシートと伝票とを同一のプリンタで印字・発行するのが得策である。また、業務能率の点から印字後のレシートおよび伝票を同一方向（キャッシャーの立っている方向）に排出（発行）するのが好ましい。
【０００７】
すなわち、印字後のレシートと伝票とは同一方向（例えば、本体の手前）つまりキャッシャーの手元で排出させたい。すると、レシート用紙（レシート）の幅寸法よりも伝票の横幅の方が長いので、伝票はレシート用紙の搬送方向（例えば、奥行側→手前側）と逆の方向（手前側→奥行側）から挿入しかつ印字後に逆搬送（奥行側→手前側）して排出させなければならない。
【０００８】
かくして、レシートと伝票との上記相異から、用紙および伝票の搬送方向を変更しかつインパクト印字のために例えば印字ヘッドおよび印字ガイド面（印字領域）を平面内で位置ずれさせたりしなければならないので、構造複雑で印字ヘッドの往復移動時間が長くなる。つまり、印字処理時間が長くなる。条件によっては別個の印字ヘッドを用いなければならないので、装置小型化および装置低コスト化を十分に達成できているとは言い難いとの指摘がある。さらに、巻癖あるレシート用紙の搬送装置へのセッティングが煩わしいとの指摘もある。
【０００９】
【発明が解決しようとする課題】
さらに近年、レシートの利用性が高まっている。例えば、顧客がレシートからレシート印字情報を黙読して自宅パソコンに当該レシート印字情報をキー入力し、あるいはＯＣＲを用いて読取り入力して、家計簿を管理する等である。伝票の場合も同様である。したがって、レシート印字情報・伝票情報のレシート・伝票への鮮明・高画質印字が強く望まれつつある。
【００１０】
一方において、キャッシャーおよび顧客ともに、ドットインパクトプリンタによる印字時の騒音が大きく耳障りである。つまり、使用環境上の改善が望まれている。また、用紙搬送機構等を含むプリンタをレジ本体内に組込む従来構造では、レジ自体としては電子化による小型化ができ得るのに、プリンタが大きなスペースを占有するので、結果としてレジ全体の小型化を阻止する要因となっている。一方、小型化は巻癖あるレシート用紙のセッティングを一段と煩雑にしている。
【００１１】
さらに、各顧客に手渡しされるレシートを当該店舗等の宣伝媒体に有効利用（使用）したいとの要請が一段と強まっている。印字機能の高度化により、例えば、特売商品や新規入荷商品を高密度の文字情報やモノクロ・カラー画像情報としてアピールする等である。同様に、伝票印字機能を利用して例えば伝票類似形態の割引券等を発行したいとの要請も多い。
【００１２】
本発明の目的は、レシート用紙および伝票に同一のインクジェット印字へッドを利用して各種の印字対象情報を高画質で高速印字できる低騒音でかつ取扱いが容易なレジ用インクジェットプリンタを提供することにある。
【００１３】
【課題を解決するための手段】
従来は、レシート用紙および伝票の双方を印字しなければならずかつ伝票を可逆搬送しなければならないことから、印字ヘッドは慣行的に上記のドットインパクト方式が採用されている。
【００１４】
これに対してインクジェット印字ヘッドを採択すれば、レシート用紙および伝票の双方にそれぞれ非接触印字ができることから、同一のインクジェット印字ヘッドを用いかつ同一の印字領域においてレシート用紙および伝票の印字処理高速化を達成できかつ小型化を図れるとともに、高画質印字かつ低騒音印字ができる筈である。
【００１５】
ここに、本発明は、インクジェット印字ヘッドを用いたプリンタでは印字対象媒体（伝票）を印字後にインク汚れ防止の観点から逆搬送するという技術的観念がないのに対して、これを打破する新規な発想に基づき、取扱いの容易化を図りつつインクジェット印字ヘッドを採択してその利益を発揮可能とするとともに、その採択による欠点（インク汚れ等）を巧みに解消できるように構成したものである。
【００１６】
すなわち、請求項１の発明は、プリンタ本体内に装着されたインクジェット印字ヘッドの下方側に、連続紙であるレシート用紙を用紙搬送方向に搬送可能な用紙搬送装置と，非連続紙である伝票を用紙搬送方向と反対の伝票正搬送方向に正搬送可能かつ印字後の伝票を用紙搬送方向と同じ伝票逆搬送方向に逆搬送可能であるとともに用紙搬送装置の上方側に配設された伝票搬送装置とを設け、プリンタ本体の用紙搬送方向の上流側にレシート用紙を巻癖湾曲形状のままその先端を用紙搬送装置側へ引出可能状態でロール用紙を収容可能なロール用紙収容部を設けかつその下流側に伝票を伝票正搬送方向に挿入可能な伝票挿入部を設け、ロール用紙収容部を、用紙搬送装置に対する当該ロール用紙収容部の上下方向位置関係がロール用紙収容部に収容されたロール用紙から巻癖湾曲形状のまま引出されたレシート用紙の先端を上方から下方に向けて用紙搬送装置に挿入可能な位置に配設するとともに、ロール用紙収容部の開口部を覆う上蓋を伝票正搬送方向に立上る形状に形成しかつこの上蓋をインクジェット印字ヘッドを伝票正搬送方向に通過した印字後伝票の一時保留部として利用可能に形成したレジ用インクジェットプリンタである。
【００１７】
かかる発明では、上蓋を開けて、プリンタ本体の用紙搬送方向の上流側に設けられたロール用紙収容部の開口部を開きかつそこに収容されたロール紙の先端（レシート用紙先端）を巻癖湾曲形状のまま引出し、その先端を上方から下方に向けて用紙搬送装置の上流側に挿入する。すなわち、連続紙であるレシート用紙を用紙搬送装置でインクジェット印字ヘッドの下方側を通しかつ用紙搬送方向に搬送可能にセッティングする。セッティングが済んだら、上蓋を閉めておく。したがって、レシート用紙にインクジェット印字ヘッドを駆動してレシート印字情報を印字しかつカットしたレシートを用紙搬送方向の下流側から発行することができる。
【００１８】
非連続紙である伝票に印字する場合には、レシート発行側（用紙搬送方向の下流側）に設けられた伝票挿入部から伝票を伝票正搬送方向（用紙搬送方向と反対の方向）に挿入する。この伝票は、用紙搬送装置の上方側に配設された伝票搬送装置によって伝票正搬送方向に正搬送され、インクジェットヘッドを通過する際に伝票情報が印字される。印字が終了するまで当該伝票は伝票正搬送方向に正搬送されるので、伝票正搬送方向に通過した印字後伝票（先端側）はロール用紙収容部の開口部を覆う上蓋つまり一時保留部に一時保留される。印字後インクの乾きを促進にも役立つ。
【００１９】
印字が終了すると、伝票搬送装置が逆転駆動され、印字後の伝票を用紙搬送方向と同じ伝票逆搬送方向に逆搬送することができる。この際、上蓋が伝票正搬送方向に立上る形状に形成されているので、逆搬送を円滑に行える。逆搬送された印字後伝票は、レシート用紙の上方側でかつレシート発行口と同方向の伝票挿入部（排出口）から排出される。
【００２０】
したがって、レシート用紙に高密度な文字列や図形等の各種情報を高品質でかつ低騒音で印字することができるとともに、伝票の円滑な可逆搬送を行えかつキャッシャーは同一場所でレシートを入手できかつ伝票を差込みかつ入手することができるから業務能率を向上できる。また、レシート用紙を巻癖あるままセッティングできるから取扱い容易で、セッティング作業を簡単かつ迅速に行える。
【００２１】
また、請求項２の発明は、前記上蓋の形状が、前記ロール用紙収容部の前記伝票正搬送方向中心の手前部位が当該中心まで立上りかつその中心を過ぎた部位が奥行側へ立下がる上方に凸の円弧形状とされているレジ用インクジェットプリンタである。
【００２２】
かかる発明では、印字後伝票の一時保留部分が上に凸の円弧形状であるから、請求項１の発明の場合と同様な作用効果を奏することができることに加え、さらに伝票の逆搬送をより円滑に行えかつ上蓋の内側を連続する円弧形状に形成できるからロール用紙収容部を必要最小限的なスペースに抑えらるとともに、外観・デザイン上も好ましい。
【００２３】
【発明の実施の形態】
以下、本発明の実施形態について図面を参照して説明する。
本レジ用インクンジェットプリンタ２０は、図１〜図６に示す如く、プリンタ本体２１内に装着されたインクジェット印字ヘッド４０の下方側に、連続紙であるレシート用紙１１０を用紙搬送方向Ｘｒに搬送可能な用紙搬送装置５０と，非連続紙である伝票１２０を伝票正搬送方向（用紙搬送方向Ｘｒと反対の方向）Ｘｓ１に正搬送可能かつ印字後の伝票１２０を伝票逆搬送方向（用紙搬送方向Ｘｒと同じ方向）Ｘｓ２に逆搬送可能であるとともに用紙搬送装置５０の上方側に配設された伝票搬送装置６０とを設け、プリンタ本体２１の用紙搬送方向Ｘｒの上流側にレシート用紙１１０を巻癖湾曲形状のままその先端を用紙搬送装置５０側へ引出可能状態でロール用紙１１０Ｒを収容可能なロール用紙収容部２７を設けかつその下流側に伝票１２０を伝票正搬送方向Ｘｓ１に挿入可能な伝票挿入部２５Ｓを設け、ロール用紙収容部２７を、用紙搬送装置５０に対する当該ロール用紙収容部２７の上下方向位置関係がロール用紙収容部２７に収容されたロール用紙１１０Ｒから巻癖湾曲形状のまま引出されたレシート用紙１１０の先端を上方から下方に向けて用紙搬送装置５０に挿入可能な位置に配設するとともに、ロール用紙収容部２７の開口部２７Ｈを覆う上蓋２４を伝票正搬送方向Ｘｓ１に立上る形状に形成しかつこの上蓋２４がインクジェット印字ヘッド４０を伝票正搬送方向Ｘｓ１に通過した印字後伝票１２０の一時保留部として利用可能に形成されている。
【００２４】
本プリンタ２０は、この実施形態の場合は図１に示す電子キャッシュレジスタ（レジ）１０にケーブル１０Ｃを介して接続され、商品登録および会計処理に伴うレシート印字情報をレシート（１１０）に印字しかつ伝票１２０に伝票情報を印字するために使用される。
【００２５】
すなわち、電子キャッシュレジスタ（レジ）１０には、ケーブル１０Ｃを介して接続されたレジ用インクジェットプリンタ２０を用いて、商品登録および会計処理に伴うレシート印字情報をレシート（１１０）に印字しかつ伝票１２０に伝票情報を印字可能に形成されている。
【００２６】
この電子キャッシュレジスタ１０は、図１の本体１０Ｂ内に格納された図８に示す制御部（ＣＰＵ１１，ＲＯＭ１２，ＲＡＭ１３）に、ＨＤＤ１８，ＦＤＤ（図示省略），キーボード（ＫＢ）１４，スキャナ（ＳＣＮ）１５，図１に示すキャッシャー用表示器１６Ａおよび顧客用表示器１６Ｂからなる表示器（ＩＮＤ）１６および自動解放型のドロワ（ＤＲＷ）１７を接続した構成とされている。１９はプリンタドライバである。
【００２７】
この電子キャッシュレジスタ１０の基本的機能は、スキャナ１５を用いて商品コードを入力すると、制御部（ＣＰＵ１１，ＲＯＭ１２等）が商品ファイルから商品データ（商品名，単価等）を得て商品登録する。
【００２８】
当該顧客の全買上商品について商品登録が終了したら、１取引宣言としての締め操作を行う。すると、合計金額の算出等を含む会計処理が行われる。登録商品データおよび会計処理データは図１に示すキャッシャー用表示器１６Ａおよび顧客用表示器１６Ｂに表示されるとともに、レシート印字情報をして編集して本レジ用インクジェットプリンタ２０にレシートを印字・発行させる。ドロワ１７も自動解放される。
【００２９】
また、プリンタ２０の駆動制御部８０は、ＭＰＵ等を含む制御部８１に、メモリ８２，表示部（ＩＮＤ）８３，ボタン（スイッチ）部（ＳＷ）８４，モータ駆動部（ＤＲＶ）８５，センサー部８６，カッター部３８およびインターフェイス（Ｉ／Ｆ）８８を含み、電子キャッシュレジスタ１０から受信したレシート印字情報等を含む印字要求信号に基づきインクジェット印字ヘッド４０を駆動制御して、当該各情報を当該用紙（１１０，１２０）に印字する。
【００３０】
モータ駆動部８５は、キャリア３２を往復移動させるためのキャリア用モータ８５ＭＣ，レシート用紙１１０を搬送するためのレシート用モータ８５ＭＲ，伝票１２０を可逆搬送するための伝票用モータ８５ＭＳを、回転駆動することができる。なお、カッター部３８およびインクジェット印字ヘッド４０をメンテナンスするための図示しないヘッドメンテナンス手段は、いずれかのモータを流用して駆動される。
【００３１】
ここに、プリンタ２０は、図１に示すように、プリンタ本体２１（上体２３，下体２５）の後方側（奥行側）にロール用紙収容部２７を設け、前方側（手前側）に伝票挿入部（伝票排出部）２５Ｓおよびレシート発行部２５Ｒを設けた外観とされている。
【００３２】
図２，図３に示す伝票１２０は、図１の伝票挿入部２５Ｓから上体２３と下体２５との間の隙間２５Ｈを通して伝票正搬送方向Ｘｓ１に挿入される。挿入された伝票１２０は、伝票搬送装置６０によって伝票正搬送方向Ｘｓ１へ搬送されてインクジェット印字ヘッド４０の駆動により伝票情報が印字されつつ、さらに伝票正搬送方向Ｘｓ１へ進み、その一部（先端部）［または、全部としてもよい。］が図２に示すロール用紙収容部２７の開口部２７Ｈを覆う上蓋（一時保留部）２４上に一時保留される。
【００３３】
そして、印字終了後の伝票１２０は逆回転された伝票搬送装置６０によって逆搬送方向Ｘｓ２へ搬送されて伝票排出部（伝票挿入部）２５Ｓから排出される。つまり、キャッシャーは、レシート（１１０）と伝票１２０とを、その場（手前側）で取り扱える。
【００３４】
この一時保留部を形成する上蓋２４の形状は、ロール用紙収容部２７の伝票正搬送方向Ｘｓ１の中心の手前部位（保留面２４Ｆ）が当該中心まで立上りかつその中心を過ぎた部位２４Ｂが奥行側へ立下がる上方に凸の円弧形状とされている。つまり、印字後伝票１２０の保留部分（２４Ｆ）が上に凸の円弧形状であるから、当該上蓋２４の内側を連続する円弧形状に形成できる。かくして、ロール用紙収容部２７を必要最小限的なスペースに抑えらるとともに、外観・デザイン上も好ましい。
【００３５】
以下に、レシート（１１０）が発行される側（発行部２５Ｒ）において、伝票１２０の手前側入れ・手前側出し並びにインクジェット印字ヘッド４０を用いて高品質・高速印字を可能とする搬送装置５０，６０を、図２〜図４を参照して詳細に説明する。
【００３６】
図２〜図４において、レシート用紙１１０を用紙搬送方向Ｘｒに搬送する用紙搬送装置５０は、図３に示す印字領域Ａｐの上流側（図３で上方側、図２で右側）に配設された用紙搬送用ローラー５２Ｕ・５５Ｕと、その下流側（図３で下方側、図２で左側）に配設された用紙搬送用ローラー５２Ｄ・５５Ｄと、左右の方向転換ローラー５８Ｌ，５８Ｒから構成されている。
【００３７】
上流側の用紙搬送用ローラー５２Ｕ・５５Ｕは、レシート用紙１１０の印字面（上面）に接触しないので、当該各軸５１Ｕ・５３Ｕの左右方向の中央に設けた各１つのローラー要素（５２Ｕ・５５Ｕ）から形成されている。なお、各軸５１Ｕ・５３Ｕに複数（２以上）のローラー要素を配設した構造としてもよい。
【００３８】
下流側の用紙搬送用ローラー５２Ｄ・５５Ｄは、レシート用紙１１０の印字面（上面）に接触し得るので、当該各軸５１Ｄ・５３Ｄの左右方向に振り分け配設した図３に示す各２つのローラー要素５２ＥＤＬ・５５ＥＤＬ，５２ＥＤＲ・５５ＥＤＲとから形成されている。
【００３９】
すなわち、配置上の余裕，レシート用紙１１０およびインクの性状や搬送速度の関係で、レシート印字情報に含まれる図４の文字列（文字情報）１１４のインク乾きは早いが、インクドット密度が高い画像からなるロゴマーク１１５のインク乾きが遅くなる虞を考慮して、各用紙搬送用ローラー５２Ｄ・５５Ｄのレシート用紙幅（１１０Ｗ）方向に離隔された内側２つのローラー要素５２ＥＤＬ・５５ＥＤＬ，５２ＥＤＲ・５５ＥＤＲの図３，図４に示す内側間隔Ｗｒを、レシート用紙１１０に印字されたレシート印字情報中のロゴマーク幅１１５Ｗを超えるものとして当該各軸５１Ｄ・５３Ｄ上に配設してある。
【００４０】
なお、例えば搬送速度が非常に高い場合には、内側２つのローラー要素５２ＥＤＬ・５５ＥＤＬ，５２ＥＤＲ・５５ＥＤＲの内側間隔Ｗｒを、レシート用紙１１０に印字されたレシート印字情報中の文字列１１４を超えるものとして当該各軸５１Ｄ・５３Ｄ上に配設し、さらに用紙搬送方向Ｘｒに３以上の用紙搬送用ローラーを設けてもよい。
【００４１】
また、各用紙搬送用ローラー５２Ｕ・５５Ｕ，５２Ｄ・５５Ｄ（５２ＥＤＬ・５５ＥＤＬ，５２ＥＤＲ・５５ＥＤＲ）を、レシート用紙１１０の図２の非印字面（下面）１１１がインクジェット印字ヘッド４０に対向しかつ図２に示す印字ガイド面２９に接触可能として配設してある。印字ガイド面２９は、図２に示した左右方向の寸法よりも実際には左右方向に長く、レシート用紙１１０の挿入時の用紙ガイドにも利用する。この意味で、用紙挿入ガイド面といえる。
【００４２】
また、上流側用紙搬送用ローラー５２Ｕ・５５Ｕと下流側用紙搬送用ローラー５２Ｄ・５５Ｄ（５２ＥＤＬ・５５ＥＤＬ，５２ＥＤＲ・５５ＥＤＲ）とが、レシート用紙１１０に用紙搬送方向Ｘｒの張力を加えつつ搬送可能に形成されている。
【００４３】
つまり、下流側用紙搬送用ローラー５２Ｄ・５５Ｄの周速度の方が上流側用紙搬送用ローラー５２Ｕ・５５Ｕの周速度よりも、僅かに高速となっている。また、下流側用紙搬送用ローラー５２Ｄ・５５Ｄは、張力が一定範囲外になった場合には図示省略のワンウェイクラッチの滑り作用により一定範囲内の張力に戻すことができる。したがって、レシート用紙１１０を弛みや凹凸が無く搬送できるから、インクジェット印字ヘッド４０に非接触でも、高画質かつ鮮明な印字ができる。
【００４４】
一方、伝票１２０を搬送する伝票搬送装置６０は、図３に示す印字領域Ａｐの下流側（レシート用紙１１０では上流側である。）に配設された伝票搬送用ローラー６２Ｕ・６５Ｕと、その上流側（レシート用紙１１０では下流側である。）に配設された伝票搬送用ローラー６２Ｄ・６５Ｄとから構成されている。
【００４５】
これら各伝票搬送用ローラー６２Ｕ・６５Ｕ，６２Ｄ・６５Ｄは、用紙搬送装置５０を構成する各用紙搬送用ローラー５２Ｕ・５５Ｕ，５２Ｄ・５５Ｄ（５２ＥＵＬ・５５ＥＵＬ，５２ＥＤＲ・５５ＥＤＲ）間内に配設されている。剛性がレシート用紙１１０の剛性よりも大きい場合が多い非連続紙（伝票１２０）を、より確実かつ安定して搬送できるようにするためである。
【００４６】
上流側の伝票搬送用ローラー６２Ｄ・６５Ｄは、レシート用紙１１０の印字面（上面）との接触を防止するために、当該各軸６１Ｄ・６３Ｄの左右方向に図２に示す内側間隔Ｗｓをとって振り分け配設された各２つのローラー要素６２ＥＤＬ・６５ＥＤＬ，６２ＥＤＲ・６５ＥＤＲから形成されている。
【００４７】
同様に、下流側の伝票搬送用ローラー６２Ｕ・６５Ｕは、剛性の大きな伝票１２０の確実な搬送を期するためおよびレシート用紙１１０の印字面（上面）との接触を防止するために、当該各軸６１Ｕ・６３Ｕの左右方向に内側間隔Ｗｓをとって離隔配設（左右方向に振り分け配設）された各２つのローラー要素６２ＥＵＬ・６５ＥＵＬ，６２ＥＵＲ・６５ＥＵＲから形成されている。
【００４８】
また、下流側伝票搬送用ローラー６２Ｕ・６５Ｕ（６２ＥＵＬ・６５ＥＵＬ，６２ＥＵＲ・６５ＥＵＲ）と上流側伝票搬送用ローラー６２Ｄ・６５Ｄ（６２ＥＤＬ・６５ＥＤＬ，６２ＥＤＲ・６５ＥＤＲ）とが、伝票１２０に伝票搬送方向（Ｘｓ１，Ｘｓ２）の張力を加えつつ搬送可能に形成されている。伝票情報を伝票１２０に印字する正搬送方向Ｘｓ１に搬送する場合に張力を与える。
【００４９】
つまり、下流側伝票搬送用ローラー６２Ｕ・６５Ｕの周速度の方が上流側伝票搬送用ローラー６２Ｄ・６５Ｄの周速度よりも、僅かに高速となっている。なお、各搬送用ローラー（ローラー要素）に付したＵ（上流側）およびＤ（下流側）なる符号は、上記の通り、レシート用紙１１０の搬送方向Ｘｒに対して定義した。したがって、伝票１２０の場合には、Ｄ（上流側）およびＵ（下流側）なる符号を付してある。
【００５０】
そして、下流側伝票搬送用ローラー６２Ｕ・６５Ｕは、伝票１２０に加わる張力が一定範囲外になった場合には図５，図６に示すワンウェイクラッチ（スプリングクラッチ）６９の滑り作用により一定範囲内の張力に戻す（張力を一定範囲内に保持する。）ことができる。したがって、レシート用紙１１０に比較して高剛性の伝票１２０でも弛みや凹凸が無く搬送できるから、インクジェット印字ヘッド４０に非接触でも、高品質かつ鮮明な印字ができる。
【００５１】
また、各伝票搬送用ローラー６２Ｕ・６５Ｕ，６２Ｄ・６２Ｄの図３，図４に示すレシート用紙幅方向１１０Ｗに離隔された内側２つのローラー要素６２ＥＵＬ・６５ＥＵＬ，６２ＥＵＲ・６５ＥＵＲ、６２ＥＤＬ・６５ＥＤＬ，６２ＥＤＲ・６５ＥＤＲの図３に示す内側間隔Ｗｓが、レシート用紙幅１１０Ｗを超えるものとして当該各軸６１Ｕ・６３Ｕ，６１Ｄ・６３Ｄ上に配設されている。したがって、各ローラー要素の最内側２つがレシート用紙１１０に直接接触することがない。つまり、印字されたレシート印字情報（半乾き状態のインク）に触れない。
【００５２】
なお、“最内側２つ”とは、各１軸に対する各ローラー要素が例えば各４つ以上の場合でも、その内の左右方向の各一番内側になる各１つを意味する。
【００５３】
ここにおいて、各用紙搬送用ローラー５２Ｕ・５５Ｕ，５２Ｄ・５５Ｄと各伝票搬送用ローラー６２Ｕ・６５Ｕ，６２Ｄ・６５Ｄとの上下位置関係を、図２に示すように、用紙搬送方向Ｘｒに搬送可能な状態にあるレシート用紙１１０の上方でかつ当該レシート用紙１１０の上面と一定のクリアランスＣｓｒを保持しつつ伝票１２０を伝票搬送方向（Ｘｓ１，Ｘｓ２）へ可逆搬送可能に選択してある。
【００５４】
すなわち、図３に示す平面的離隔に先だって、図２に示す上下方向離隔（Ｃｓｒ）を確立することにより、各伝票搬送用ローラー６２Ｄ・６５Ｄ，６２Ｕ・６５Ｕと各用紙搬送用ローラー５２Ｄ・５５Ｄ，５２Ｕ・５５Ｕとの干渉を上下方向において確実に回避できる。
【００５５】
かくして、伝票１２０が下方のレシート用紙１２０の印字面（上面）に直接接触しないので、レシート用紙１１０の印字面（上面）を汚すことがないばかりか、同一の印字領域Ａｐに２種類の用紙（１１０，１２０）を取り込めかつ伝票搬送用ローラー６２Ｄ・６５Ｄ，６２Ｕ・６５Ｕをレシート用紙搬送領域（１１０Ｗ）から外側に外れた位置に配設でき、しかも伝票１２０の可逆搬送時に各伝票搬送用ローラー６２Ｄ・６５Ｄ，６２Ｕ・６５Ｕがレシート用紙１１０を搬送してしまうことがないわけである。
【００５６】
これとの関係で、インクジェット印字ヘッド４０のインクジェット特性は、図２に示すインクジェット印字ヘッド４０の先端（下面）と伝票１２０の上面（印字面）とのクリアランスＣｈｓ（例えば、１．０ｍｍ）を確保した上で、少なくとも伝票厚さ１２０ｔ（例えば、０．０９ｍｍ）相当の上下方向距離内で印字品質を一定に維持可能に選択すればよいが、この実施形態では、クリアランスＣｓｒをとったので、伝票厚さ１２０ｔ相当にクリアランスＣｓｒ（例えば、０．４２ｍｍ）を加えた上下方向距離内で印字品質を一定に維持可能に選択されている。なお、レシート用紙１１０の厚さ１１０ｔは、例えば０．０８ｍｍである。
【００５７】
つまり、レシート用紙１１０の上面（印字面）と伝票１２０の下面（非印字面）とを確実に非接触に保持できかつクリアランスＣｓｒを挟んでも伝票１２０とレシート用紙１１０との印字品質を一定に維持できるから、レシート用紙１１０の印字面が伝票１２０で摺られることがなく、高画質印字のレシート（１１０）および伝票１２０を発行・排出できる。
【００５８】
このインクジェット印字ヘッド４０は、図２，図５，図７に示すキャリア移動機構３０（ガイドロッド３１，キャリア３２）によってかつガイドロッド３１に沿って左右方向に往復移動可能である。キャリア３２には、インクジェット印字ヘッド４０にインクを供給するためのインクカセット４５が着脱自在に設けられている。
【００５９】
さらに、伝票搬送装置６０を構成する各伝票搬送用ローラー６２Ｄ・６５Ｄ，６２Ｕ・６５Ｕを、逆搬送可能に形成してある。すなわち、伝票１２０を、用紙搬送方向Ｘｒと逆の正搬送方向Ｘｓ１に正搬送できかつ印字後に用紙搬送方向Ｘｒと同じ逆搬送方向Ｘｓ２に逆搬送することができる。
【００６０】
詳しくは、正搬送における下流側（レシート搬送方向Ｘｒで上流側）の伝票搬送用ローラー６２Ｕ・６５Ｕの周速度が上流側（レシート搬送方向Ｘｒで下流側）の伝票搬送用ローラー６２Ｄ・６５Ｄの周速度よりも速くかつ下流側伝票搬送用ローラー６２Ｕ・６５Ｕが伝票紙送り方向（Ｘｓ１，Ｘｓ２）の張力を一定範囲内に保持可能であるとともに、下流側伝票搬送用ローラー６２Ｕ・６５Ｕが逆搬送時に図５，図６に示す駆動源たるギヤ６７（遊星歯車６８）から切離し可能に形成されている。
【００６１】
この実施形態では、下流側伝票搬送用ローラー６２Ｕ・６５Ｕが、図５，図６に示す滑り機構を含むワンウェイクラッチ（スプリングクラッチ）６９を介して伝票１２０に加わる伝票紙送り方向の張力が一定範囲を超える場合にその滑り作用により空回りする。なお、ワンウェイクラッチ６９は、下流側伝票搬送用ローラー６２Ｕ・６５Ｕ内に組込んでもよい。
【００６２】
図５において、遊星歯車機構６６は、支軸６７Ｓを中心に回転可能な駆動源たるギヤ６７と，このギヤ６７との摩擦係合によって支軸６７Ｓを中心に回動可能なレバー６８Ａと，このレバー６８Ａの上部側に装着された遊星歯車６８とからなり、ギヤ６７をＡ方向に回転させると遊星歯車６８がａ方向に移動して伝票搬送用ローラー６５Ｕに結合する。反対に、ギヤ６７をＢ方向に回転させると遊星歯車６８がｂ方向に移動して伝票搬送用ローラー６５Ｕから分離させることができる。
【００６３】
すなわち、下流側伝票搬送ローラー６２Ｕ・６５Ｕと遊星歯車６８が係合された状態では、下・上流側伝票搬送ローラー６２Ｄ・６５Ｄ，６２Ｕ・６５Ｕによる正搬送時の伝票１２０に加えられる張力は、空回り可能な下流側伝票搬送用ローラー６２Ｕ・６５Ｕ側のワンウェイクラッチ６９の滑り作用により一定範囲内に保持される。
【００６４】
また、逆搬送時の印字後伝票１２０の先端側が上流側伝票搬送用ローラー６２Ｄ・６５Ｄに係合している場合は、下流側伝票搬送用ローラー６２Ｕ・６５Ｕは遊星歯車６８から分離されて回転自在となる。したがって、遊星歯車６８の係合・分離動作であるから、下流側伝票搬送ローラー６２Ｕ・６５Ｕの正逆回転および回転自在の切換を迅速かつ簡単に行え、切換制御も容易に行える。
【００６５】
つまり、伝票１２０が上流側および下流側の各伝票搬送用ローラー６２Ｄ・６５Ｄ，６２Ｕ・６５Ｕに係合している期間中は、下流側伝票搬送用ローラー６２Ｕ・６５Ｕの周速度が上流側伝票搬送用ローラー６２Ｄ・６５Ｄの周速度よりも速いので伝票１２０に伝票紙送り方向の張力を加えられかつ下流側伝票搬送用ローラー６２Ｕ・６５Ｕがその張力を一定範囲内に保持する。したがって、一定張力による弛みや凹凸のない状態で印字できるから、一段と印字品質を向上できる。
【００６６】
また、逆搬送時には、下流側伝票搬送用ローラー６２Ｕ・６５Ｕが駆動源６７（遊星歯車６８）から切離され回転自在となるので、周速度差が伝票１２０に悪影響を与えることはない。したがって、レシート（１１０）の発行部２５Ｒと伝票挿入部（伝票排出部）２５Ｓとを同一方向に揃えられるから、取扱が非常に容易で業務能率を向上できる。
【００６７】
かかる実施形態のレジ用インクジェットプリンタ２０では、図１に示す上蓋２４を開放してからロール用紙収容部２７に図２に示すレール用紙１１０Ｒを収容させる。そして、ロール用紙１１０Ｒからレシート用紙１１０を巻癖あるまま引出しつつ、その先端を下向きとして用紙搬送装置５０の上流側用紙搬送用ローラー５２Ｕ，５５Ｕ間に通し、さらに押込む。
【００６８】
その先端は下向きのまま印字ガイド面（用紙挿入ガイド面）２９上を滑り、方向転換ローラー５８Ｌ，５８Ｒ上を通過して下方に配設された下流側用紙搬送用ローラー５２Ｄ（５２ＥＤＬ・５２ＥＤＲ），５５Ｄ（５５ＤＥＬ・５５ＥＤＲ）間を通り、図１のレシート発行部２５Ｒから外に出る。外に出た部分は、カッター部で切断して取除く。すなわち、レシート用紙１１０を用紙搬送装置５０にセッティングすることができる。上蓋２４を閉じる。レシート用紙１１０を巻癖あるままセッティングできるから取扱い容易で、セッティング作業を簡単かつ迅速に行える。
【００６９】
かくして、連続紙であるレシート用紙１１０を、上流側（例えば、奥行側）の用紙搬送用ローラー５２Ｕ・５５Ｕと下流側（手前側）の用紙搬送用ローラー５２Ｄ・５５Ｄとで用紙搬送方向Ｘｒのインクジェット印字ヘッド４０側へ搬送できる。レシート用紙１１０に張力を加えつつ搬送する。その下面が印字ガイド面２９上に接触されるので、弛みや凹凸が無く搬送することができる。
【００７０】
したがって、電子キャッシュレジスタ１０から登録商品データ等を含むレシート印字情報を受信すると、制御部８１が印字領域Ａｐに位置付けされたインクジェット印字ヘッド４０を駆動制御して当該レシート印字情報を印字する。印字された後に、当該レシート用紙１１０は下流側に搬送され、カッター部３８でカットされてレシートとなる。
【００７１】
レシート用紙１１０の搬送中においても、各伝票搬送用ローラー６２Ｕ・６５Ｕおよび６２Ｄ・６５Ｄがレシート用紙幅１１０Ｗ方向に離隔された各２つのローラー要素６２ＥＵＬ，６２ＥＵＲ・６５ＥＵＬ，６５ＥＵＲおよび６２ＥＤＬ，６２ＥＤＲ・６５ＥＤＬ，６５ＥＤＲを同一軸６１・６３上に配設した構造であるから、各伝票搬送用ローラー６２Ｕ（６２ＥＵＬ，６２ＥＵＲ）・６５Ｕ（６５ＥＵＬ，６５ＥＵＲ）および６２Ｄ（６２ＥＤＬ，６２ＥＤＲ）・６５Ｄ（６５ＥＤＬ，６５ＥＤＲ）と各用紙搬送用ローラー５２Ｕ・５５Ｕおよび５２Ｄ（５２ＥＤＬ，５２ＥＤＲ）・５５Ｄ（５５ＥＤＬ，５５ＥＤＲ）との平面的な干渉を回避できる。
【００７２】
つまり、同一の印字領域Ａｐに２種類の用紙（１１０，１２０）を取り込めかつ伝票搬送用ローラー６２Ｕ（６２ＥＵＬ，６２ＥＵＲ）・６５Ｕ（６５ＥＵＬ，６５ＥＵＲ）および６２Ｄ（６２ＥＤＬ，６２ＥＤＲ）・６５Ｄ（６５ＥＤＬ，６５ＥＤＲ）をレシート用紙搬送領域（１１０Ｗ）から外れた位置に配設でき、しかも各伝票搬送用ローラー６２Ｕ（６２ＥＵＬ，６２ＥＵＲ）・６５Ｕ（６５ＥＵＬ，６５ＥＵＲ）および６２Ｄ（６２ＥＤＬ，６２ＥＤＲ）・６５Ｄ（６５ＥＤＬ，６５ＥＤＲ）が伝票搬送時に下方のレシート用紙１１０を搬送してしまうことがない。
【００７３】
ここにおいて、非連続紙である伝票１２０に伝票情報を印字させるには、当該伝票１２０（一部１２１）を図１に示す伝票挿入部２５Ｓを平面ガイドとしつつ上体２３と下体２５との隙間２５Ｈを通して伝票搬送方向（正搬送方向Ｘｓ１）へ押込む。当該伝票１２０の図１で左側（残部１２２）は、プリンタ本体２１の左方へ突出したままでよい。
【００７４】
すると、制御部８１が、伝票１２０の先端が確認（検出）されたことを条件（図９のＳＴ１０でＹＥＳ）に、図５，図６に示す遊星歯車機構６６を駆動して遊星歯車６８を下流側伝票搬送用ローラー６２Ｕ・６５Ｕに係合させ回転駆動可能状態としかつ下流側伝票搬送用ローラー６２Ｕ・６５Ｕを上流側伝票搬送用ローラー６２Ｄ・６５Ｄとともに正転（ＳＴ１１）させる。これにより、挿入された伝票１２０をインクジェット印字ヘッド４０側（正搬送方向Ｘｓ１）へ正搬送することができる。
【００７５】
伝票１２０の先端が下流側伝票搬送用ローラー６２Ｕ・６５Ｕに係合されると、当該伝票１２０に伝票搬送方向（Ｘｓ１）の張力が加わる。この段階でインクジェット印字ヘッド４０が駆動されて、伝票情報が印字される。当該伝票１２０は、印字中も行送りされ、正搬送方向Ｘｓ１へ搬送されその先端部側が図１，図２の上蓋２４（保留面２４Ｆ）上に一時保留される。円弧形状であるから、円滑に移動できる。
【００７６】
伝票印字が終了（ＳＴ１２のＹＥＳ）すると、一旦停止（ＳＴ１３）された各伝票搬送用ローラー６２Ｕ・６５Ｕ，６２Ｄ・６５Ｄは、逆転（ＳＴ１４のＹＥＳ，ＳＴ１５）される。印字後伝票１２０を逆搬送方向Ｘｓ２へ逆搬送することができる。この際、一時保留部（２４）の保留面２４Ｆが図２で左下がり形状であるから、各伝票搬送用ローラー６２Ｕ・６５Ｕ側へスムースに搬送ガイドできる。また、搬送中の伝票１２０の下面は、下方のレシート用紙１１０の上面に接触することはない。
【００７７】
そして、逆搬送中には、伝票先端側が上流側伝票搬送用ローラー６２Ｄ・６５Ｄに係合されかつ下流側伝票搬送用ローラー６２Ｕ・６５Ｕの回転が停止して空回りするので、上流側伝票搬送用ローラー６２Ｄ・６５Ｄとの周速度差によるジャムの発生を防止する。
【００７８】
したがって、これ以降は、上流側伝票搬送用ローラー６２Ｄ・６５Ｄのみによって伝票１２０は逆搬送方向Ｘｓ２へ逆搬送されて伝票情報が印刷された伝票１２０を伝票排出部２５Ｓ（元の位置）に排出させる。排出が終了（ＳＴ１６のＹＥＳ）すると、各ローラーは停止される（ＳＴ１７）。
【００７９】
しかして、この実施形態によれば、プリンタ本体２１内に装着されたインクジェット印字ヘッド４０の下方側に、用紙搬送装置５０と，この用紙搬送装置５０の上方側に配設された伝票搬送装置６０とを設け、プリンタ本体２１の用紙搬送方向Ｘｒの上流側にレシート用紙１１０を巻癖湾曲形状のままその先端を用紙搬送装置５０側へ引出可能状態でロール用紙１１０Ｒを収容可能なロール用紙収容部２７を設けかつその下流側に伝票１２０を伝票正搬送方向Ｘｓ１に挿入可能な伝票挿入部２５Ｓを設け、ロール用紙収容部２７の開口部２７Ｈを覆う上蓋２４を伝票正搬送方向に立上る形状に形成して印字後伝票１２０の一時保留部（２４Ｆ）として利用可能であるから、レシート用紙１１０に高密度な文字列や図形等の各種情報を高品質でかつ低騒音で印字することができるとともに、伝票１２０の円滑な可逆搬送を行えかつキャッシャーは同一場所（２５Ｒ，２５Ｓ）でレシート（１１０）を入手できかつ伝票１２０を差込みかつ入手することができるから業務能率を向上できる。また、レシート用紙１１０を巻癖あるままセッティングできるから取扱い容易で、セッティング作業を簡単かつ迅速に行える。
【００８０】
また、上蓋２４の形状がロール用紙収容部２７の伝票正搬送方向Ｘｓ１の中心の手前部位（２４Ｆ）が当該中心まで立上りかつその中心を過ぎた部位（２４Ｂ）が奥行側へ立下がる上方に凸の円弧形状とされているので、伝票１２０の逆搬送をより円滑に行えかつ上蓋２４の内側を連続する円弧形状に形成できるからロール用紙収容部を必要最小限的なスペースに抑えらるとともに、外観・デザイン上も好ましい。
【００８１】
さらに、同一のインクジェット印字ヘッド４０を利用してレシート用紙１１０および伝票１２０に印字可能で、各用紙搬送用ローラー５２Ｕ・５５Ｕ，５２Ｄ・５５Ｄと各伝票搬送用ローラー６２Ｕ・６５Ｕ，６２Ｄ・６５Ｄとの上下位置関係が、用紙搬送方向Ｘｒに搬送可能な状態にあるレシート用紙１１０の上方でかつ当該レシート用紙１１０の上面と一定のクリアランスＣｓｒを保持しつつ伝票１２０を伝票搬送方向（Ｘｓ１，Ｘｓ２）へ搬送可能に選択されているので、同一の印字領域Ａｐに２種類の用紙（１１０，１２０）を取り込めかつ伝票搬送用ローラー６２Ｕ・６５Ｕ，６２Ｄ・６５Ｄをレシート用紙搬送領域から外れた位置に配設でき、しかも各伝票搬送用ローラー６２Ｕ・６５Ｕ，６２Ｄ・６５Ｄがレシート用紙１１０を搬送してしまうことがない。印字品質をそのまま維持できる。
【００８２】
さらに、各用紙搬送用ローラー５２Ｕ・５５Ｕ，５２Ｄ・５５Ｄがレシート用紙１１０の下面（非印字面１１１）をインクジェット印字ヘッド４０に対向配設され印字ガイド面２９に接触可能に配設され、かつ上流側用紙搬送用ローラー５２Ｕ・５５Ｕと下流側用紙搬送用ローラー５２Ｄ・５５Ｄとがレシート用紙１１０に用紙搬送方向Ｘｒの張力を加えつつ搬送可能であるから、レシート用紙１１０に弛みや凹凸が生じない。したがって、レシートの印字品質を一段と向上できかつ小クリアランスＣｓｒであるから小型化を促進できる。
【００８３】
さらに、各伝票搬送用ローラー６２Ｕ・６５Ｕ，６２Ｄ・６５Ｄが用紙搬送方向Ｘｒの下流側から供給された伝票１２０を当該上流側へ正搬送可能かつ印字後伝票１２０を用紙搬送方向Ｘｒの上流側から下流側に逆搬送可能であるから、レシートの発行部２５Ｒと伝票１２０の挿入部（排出部）２５Ｓとを同一方向に揃えられる。したがって、取扱が非常に容易で業務能率を向上できる。
【００８４】
さらにまた、上流側用紙搬送用ローラー５２Ｕ・５５Ｕと下流側用紙搬送用ローラー５２Ｄ・５５Ｄとは、レシート用紙１１０に用紙搬送方向Ｘｒの張力を加えつつ、かつ当該レシート用紙１１０の非印字面１１１をインクジェット印字ヘッド４０に対向配設された印字ガイド面２９に接触させつつ、上流側から下流側へ搬送することができるので、インクジェット印字ヘッド４０とレシート用紙１１０の印字面との間隔（Ｃｈｓ＋伝票厚さ分＋Ｃｓｒ）を一定に保持できかつレシート用紙１１０に弛みや凹凸がないから、印字品質を一段と高めることができる。
【００８５】
さらにまた、両伝票搬送用ローラー６２Ｄ・６５Ｄ，６２Ｕ・６５Ｕが両用紙搬送用ローラー５２Ｄ・５５Ｄ，５２Ｕ・５５Ｕ間内に配設してあるので、両伝票搬送用ローラー６２Ｄ・６５Ｄ，６２Ｕ・６５Ｕ間の距離を短縮化できる。また、伝票１２０への印字は、当該伝票１２０が両伝票搬送用ローラー６２Ｄ・６５Ｄ，６２Ｕ・６５Ｕに接触（係合）している場合に実行されるので、伝票１２０上の印字不可能領域（余白部）を小さくすることができる。しかも、プリンタ２０を単体的に構築できるから、レジ全体の小型化にも有効である。
【００８６】
さらにまた、各伝票搬送用ローラー６２Ｄ・６５Ｄ，６２Ｕ・６５Ｕのレシート用紙幅方向に離隔された内側２つのローラー要素６２ＥＤＬ，６２ＥＤＲ・６５ＥＤＬ，６５ＥＤＲおよび６２ＥＵＬ，６２ＥＵＲ・６５ＥＵＬ，６５ＥＵＲの内側間隔Ｗｓが、レシート用紙幅１１０Ｗを超える。つまり、軸６１，６３上に配設されたローラー要素の最内側２つがレシート用紙に触れることがない。したがって、レシート用紙１１０上に印字されたレシート印字情報の品質を確実に維持できる。
【００８７】
【発明の効果】
請求項１の発明によれば、プリンタ本体内に装着されたインクジェット印字ヘッドの下方側に、連続紙であるレシート用紙を用紙搬送方向に搬送可能な用紙搬送装置と，非連続紙である伝票を正搬送可能かつ印字後伝票を伝票逆搬送方向に逆搬送可能であるとともに用紙搬送装置の上方側に配設された伝票搬送装置とを設け、用紙搬送方向の上流側にレシート用紙を巻癖湾曲形状のままその先端を用紙搬送装置側へ引出可能状態でロール用紙を収容可能なロール用紙収容部を設けかつその下流側に伝票挿入部を設け、ロール用紙収容部の開口部を覆う上蓋を伝票正搬送方向に立上る形状に形成しかつ印字後伝票の一時保留部として利用可能に形成したレジ用インクジェットプリンタであるから、レシート用紙に高密度な文字列や図形等の各種情報を高品質でかつ低騒音で印字することができるとともに、伝票の円滑な可逆搬送を行えかつキャッシャーは同一場所でレシートを入手できかつ伝票を差込みかつ入手することができるから業務能率を向上できる。また、レシート用紙を巻癖あるままセッティングできるから取扱い容易で、セッティング作業を簡単かつ迅速に行える。
【００８８】
また、請求項２の発明によれば、上蓋の形状がロール用紙収容部の伝票正搬送方向中心の手前部位が当該中心まで立上る上方に凸の円弧形状とされているので、請求項１の発明の場合と同様な効果を奏することができることに加え、さらに伝票の逆搬送をより円滑に行えかつ伝票の逆搬送をより円滑に行えかつ上蓋の内側を連続する円弧形状に形成できるからロール用紙収容部を必要最小限的なスペースに抑えらるとともに、外観・デザイン上も好ましい。
【図面の簡単な説明】
【図１】本発明の実施形態を示す外観斜視図である。
【図２】同じく、用紙搬送装置および伝票搬送装置を説明するための側面図である。
【図３】同じく、用紙搬送装置および伝票搬送装置を説明するための平面図である。
【図４】同じく、レシート用紙へのレシート印字情報の印字態様を説明するための平面図である。
【図５】同じく、下流側伝票搬送用ローラーの駆動および回転自在の切換動作を説明するための側面図である。
【図６】同じく、下流側伝票搬送用ローラーの駆動および回転自在の切換動作を説明するための外観斜視図である。
【図７】同じく、キャリア，用紙搬送装置および伝票搬送装置を説明するための外観斜視図である。
【図８】同じく、駆動制御部および電子キャッシュレジスタを説明するためのブロック図である。
【図９】同じく、伝票搬送用ローラーの切換動作を説明するためのフローチャートである。
【符号の説明】
１０  電子キャッシュレジスタ（レジ）
１０Ｃ  ケーブル
２０  レジ用インクジェットプリンタ
２１  プリンタ本体
２３  上体
２４  上蓋（一時保留部）
２４Ｆ  保留面（一時保留部）
２５  下体
２５Ｈ  隙間
２５Ｒ  レシート発行部
２５Ｓ  伝票挿入部（伝票排出部）
２７  ロール用紙収容部
２７Ｈ  開口部
２９  印字ガイド面（用紙挿入ガイド面）
３０  キャリア移動機構
３１  ガイドロッド
３２  キャリア
４０  インクジェット印字ヘッド
４５  インクカセット
５０  用紙搬送装置
５１  軸
５２  用紙搬送用ローラー
５２Ｅ  ローラー要素
５５  用紙搬送用ローラー
５５Ｅ  ローラー要素
Ｗｒ  内側間隔
６０  伝票搬送装置
６１  軸
６２  伝票搬送用ローラー
６２Ｅ  ローラー要素
６５  伝票搬送用ローラー
６５Ｅ  ローラー要素
Ｗｓ  内側間隔
６６  遊星歯車機構
６７  駆動源たるギヤ
６８  遊星歯車
６９  ワンウェイクラッチ
８０  駆動制御部
８１  制御部
８２  メモリ
１１０Ｒ  ロール用紙
１１０  レシート用紙
１１１  非印字面（下面）
１１２Ｗ  レシート用紙幅
１１５  ロゴマーク
１１５Ｗ  ロゴマーク幅
Ｃｈｓ  ヘッド・伝票間のクリアランス
Ｃｓｒ  伝票・レシート用紙間のクリアランス
１２０  伝票
１２０ｔ  伝票厚さ
１２１  一部
１２２  残部
Ｘｒ  用紙搬送方向
Ｘｓ１  伝票正搬送方向
Ｘｓ２  伝票逆搬送方向
【図１】
0003705952.tif 000002
【図２】
0003705952.tif 000003
【図３】
0003705952.tif 000004
【図４】
0003705952.tif 000005
【図５】
0003705952.tif 000006
【図６】
0003705952.tif 000007
【図７】
0003705952.tif 000008
【図８】
0003705952.tif 000009
【図９】
0003705952.tif 000010